(57)【要約】【課題】管理装置の情報に係るアクセス制限を簡便な方法によって設定する仕組みを提供する。【解決手段】装置を識別する識別情報を有する通信端末装置と通信可能な管理装置であって、管理装置は、自装置への通信が許可された前記通信端末装置の前記識別情報を許可識別情報として記憶する記憶部と、前記通信端末装置から自装置への通信の許可を要求する許可要求を前記通信端末装置から受信する受信部と、前記受信した前記許可要求を要求する前記通信端末装置の前記識別情報を前記許可識別情報として登録する登録部と、前記許可識別情報に前記識別情報が登録されているか否かに基づいて、前記通信端末装置と通信するか否かを判定する通信判定部と、前記通信判定部の判定結果に基づいて、前記通信端末装置と通信する通信部とを備える。【選択図】図１
2018113560.tif 000002
【特許請求の範囲】
【請求項１】
装置を識別する識別情報を有する通信端末装置と通信可能な管理装置であって、
自装置への通信が許可された前記通信端末装置の前記識別情報である許可識別情報を記憶する記憶部と、
前記通信端末装置から自装置への通信の許可を要求する許可要求を前記通信端末装置から受信する受信部と、
前記受信部が受信した前記許可要求を要求する前記通信端末装置の前記識別情報を前記許可識別情報として登録する登録部と、
前記許可識別情報に前記識別情報が登録されているか否かに基づいて、前記通信端末装置と通信するか否かを判定する通信判定部と、
前記通信判定部の判定結果に基づいて、前記通信端末装置と通信する通信部と、
を備える管理装置。
【請求項２】
前記許可要求には、前記識別情報が含まれており、
前記登録部は、
前記受信部が受信した前記許可要求に含まれる前記識別情報を前記許可識別情報として登録する
請求項１に記載の管理装置。
【請求項３】
前記識別情報とは、
移動体通信網を介した通信において通信端末装置の識別に用いられる加入者情報であって、
前記通信部は、
前記通信判定部の判定結果に基づいて、前記移動体通信網を介した無線通信により前記通信端末装置と通信する
請求項１又は請求項２に記載の管理装置。
【請求項４】
前記通信判定部は、
前記識別情報が前記許可識別情報に登録されている場合、自装置と前記通信端末装置との間において通信すると判定し、前記識別情報が前記許可識別情報に登録されていない場合、自装置と前記通信端末装置との間において通信しないと判定する、
請求項１から請求項３のいずれか一項に記載の管理装置。
【請求項５】
前記登録部は、
前記通信端末装置と自装置との間の無線通信の接続状態に基づいて、前記識別情報を前記許可識別情報として登録する
請求項１から請求項４のいずれか一項に記載の管理装置。
【請求項６】
装置を識別する識別情報を有する通信端末装置と、管理装置とを備え、前記通信端末装置と、前記管理装置とが通信可能な通信システムであって、
前記管理装置は、
自装置への通信が許可された前記通信端末装置の前記識別情報を許可識別情報として記憶する記憶部と、
前記識別情報の登録を要求する登録要求を前記通信端末装置に送信する送信部と、
前記通信端末装置から自装置への通信の許可を要求する許可要求を前記通信端末装置から受信する受信部と、
前記受信した前記許可要求を要求する前記通信端末装置の前記識別情報を前記許可識別情報として登録する登録部と、
前記許可識別情報に前記識別情報が登録されているか否かに基づいて、前記通信端末装置と通信するか否かを判定する通信判定部と、
を備え、
前記通信端末装置は、
前記管理装置から前記登録要求が送信されることに応じて、前記許可要求を前記管理装置に送信する送信部と、
を備える通信システム。
【請求項７】
装置を識別する識別情報を有する通信端末装置と、管理装置とを備え、前記通信端末装置と、前記管理装置とが通信可能な通信システムにおける通信方法であって、
前記管理装置が前記管理装置への通信が許可された前記通信端末装置の前記識別情報を許可識別情報として記憶する記憶ステップと、
前記管理装置が前記識別情報の登録を要求する登録要求を前記通信端末装置に送信する送信ステップと、
前記通信端末装置が前記管理装置から前記登録要求が送信されることに応じて、前記管理装置への通信の許可を要求する許可要求を前記管理装置に送信する送信ステップと、
前記管理装置が前記通信端末装置から前記許可要求を前記通信端末装置から受信する受信ステップと、
前記管理装置が前記受信した前記許可要求を要求する前記通信端末装置の前記識別情報を前記許可識別情報として登録する登録ステップと、
前記管理装置が前記許可識別情報に前記識別情報が登録されているか否かに基づいて、前記通信端末装置と通信するか否かを判定する通信判定ステップと、
を有する通信方法。
【発明の詳細な説明】
【技術分野】
【０００１】
本発明は、管理装置、通信システム及び通信方法に関する。
【背景技術】
【０００２】
従来、携帯電話等の通信端末装置と、通信端末装置の情報を管理するサーバ等の管理装置とがネットワークを介して接続され、通信端末装置に保存される情報を管理装置と共有する技術が知られている（例えば、特許文献１）。
【先行技術文献】
【特許文献】
【０００３】
【特許文献１】特開２０００−１８１８６２号公報
【発明の概要】
【発明が解決しようとする課題】
【０００４】
ここで、携帯電話のユーザは、自身が使用する携帯電話の情報をサーバ等の管理装置に共有しつつ、当該サーバに共有した情報の漏えい等を予防したいと考える場合がある。この場合、ユーザは、管理装置に共有された情報にアクセスすることが許可された携帯電話のみが、当該情報にアクセス可能であることが好ましいと考える場合がある。
しかしながら、ユーザが、携帯電話の操作や設定について不得手である場合、管理装置及び携帯電話の設定を行うことが困難である場合があった。
本発明は、上記問題に鑑みて為されたものであり、管理装置の情報に係るアクセス制限を簡便な方法によって設定する仕組みを提供することを目的とする。
【課題を解決するための手段】
【０００５】
（１）本発明の一態様は、装置を識別する識別情報を有する通信端末装置と通信可能な管理装置であって、自装置への通信が許可された前記通信端末装置の前記識別情報である許可識別情報を記憶する記憶部と、前記通信端末装置から自装置への通信の許可を要求する許可要求を前記通信端末装置から受信する受信部と、前記受信部が受信した前記許可要求を要求する前記通信端末装置の前記識別情報を前記許可識別情報として登録する登録部と、前記許可識別情報に前記識別情報が登録されているか否かに基づいて、前記通信端末装置と通信するか否かを判定する通信判定部と、前記通信判定部の判定結果に基づいて、前記通信端末装置と通信する通信部と、を備える管理装置である。
【０００６】
（２）本発明の一態様は、上記（１）に記載の管理装置において、前記許可要求には、前記識別情報が含まれており、前記登録部は、前記受信部が受信した前記許可要求に含まれる前記識別情報を前記許可識別情報として登録する。
【０００７】
（３）本発明の一態様は、上記（１）又は（２）に記載の管理装置において、前記識別情報とは、移動体通信網を介した通信において通信端末装置の識別に用いられる加入者情報であって、前記通信部は、前記通信判定部の判定結果に基づいて、前記移動体通信網を介した無線通信により前記通信端末装置と通信する。
【０００８】
（４）本発明の一態様は、上記（１）から（３）のいずれかに記載の管理装置において、前記通信判定部は、前記識別情報が前記許可識別情報に登録されている場合、自装置と前記通信端末装置との間において通信すると判定し、前記識別情報が前記許可識別情報に登録されていない場合、自装置と前記通信端末装置との間において通信しないと判定する。
【０００９】
（５）本発明の一態様は、上記（１）から（４）のいずれかに記載の管理装置において、前記登録部は、前記通信端末装置と自装置との間の無線通信の接続状態に基づいて、前記識別情報を前記許可識別情報として登録する。
【００１０】
（６）本発明の一態様は、装置を識別する識別情報を有する通信端末装置と、管理装置とを備え、前記通信端末装置と、前記管理装置とが通信可能な通信システムであって、
前記管理装置は、自装置への通信が許可された前記通信端末装置の前記識別情報を許可識別情報として記憶する記憶部と、前記識別情報の登録を要求する登録要求を前記通信端末装置に送信する送信部と、前記通信端末装置から自装置への通信の許可を要求する許可要求を前記通信端末装置から受信する受信部と、前記受信した前記許可要求を要求する前記通信端末装置の前記識別情報を前記許可識別情報として登録する登録部と、前記許可識別情報に前記識別情報が登録されているか否かに基づいて、前記通信端末装置と通信するか否かを判定する通信判定部と、を備え、前記通信端末装置は、前記管理装置から前記登録要求が送信されることに応じて、前記許可要求を前記管理装置に送信する送信部と、を備える通信システムである。
【００１１】
（７）本発明の一態様は、装置を識別する識別情報を有する通信端末装置と、管理装置とを備え、前記通信端末装置と、前記管理装置とが通信可能な通信システムにおける通信方法であって、前記管理装置が前記管理装置への通信が許可された前記通信端末装置の前記識別情報を許可識別情報として記憶する記憶ステップと、前記管理装置が前記識別情報の登録を要求する登録要求を前記通信端末装置に送信する送信ステップと、前記通信端末装置が前記管理装置から前記登録要求が送信されることに応じて、前記管理装置への通信の許可を要求する許可要求を前記管理装置に送信する送信ステップと、前記管理装置が前記通信端末装置から前記許可要求を前記通信端末装置から受信する受信ステップと、前記管理装置が前記受信した前記許可要求を要求する前記通信端末装置の前記識別情報を前記許可識別情報として登録する登録ステップと、前記管理装置が前記許可識別情報に前記識別情報が登録されているか否かに基づいて、前記通信端末装置と通信するか否かを判定する通信判定ステップと、を有する通信方法である。
【発明の効果】
【００１２】
本発明によれば、管理装置の情報に係るアクセス制限を簡便な方法によって設定する仕組みを提供することができる。
【図面の簡単な説明】
【００１３】
【図１】本実施形態に係るＮＡＳ装置及び通信端末装置の概要を示す図である。
【図２】本実施形態に係るＮＡＳ装置及び通信端末装置の機能構成の一例を示す図である。
【図３】本実施形態に係る許可識別情報の一例を示す表である。
【図４】本実施形態に係るＮＡＳ装置の動作の一例を示す第１の流れ図である。
【図５】本実施形態に係るＮＡＳ装置の動作の一例を示す第２の流れ図である。
【図６】本実施形態に係るＮＡＳ装置の動作の一例を示す第３の流れ図である。
【図７】本実施形態におけるレジストレーション情報の一例を示す表である。
【発明を実施するための形態】
【００１４】
［実施形態］
以下、図を参照して本発明の実施形態について説明する。
【００１５】
＜ＮＡＳ装置の概要＞
図１は、本実施形態に係るＮＡＳ装置１０及び通信端末装置２０の概要を示す図である。
ＮＡＳ（Ｎｅｔｗｏｒｋ  Ａｃｃｅｓｓ  Ｓｅｒｖｅｒ）装置１０は、通信端末装置２０から受信するデータ（例えば、音楽、写真及び動画等）を管理する。ＮＡＳ装置１０は、ハードディスクドライブやＲＯＭ（Ｒｅａｄ−Ｏｎｌｙ−ｍｅｍｏｒｙ）などの記憶部１４０を備えている。この記憶部１４０には、通信端末装置２０から送信される写真や動画、音楽などのデータが保存される。この記憶部１４０に記憶されるデータは、通信端末装置２０が読み出すことも可能である。この場合、ＮＡＳ装置１０は、通信端末装置２０のファイルサーバとして機能する。以降の説明において、記憶部１４０に記憶される写真や動画、音楽などのデータを総称してコンテンツ情報ＣＴと記載する。
【００１６】
ＮＡＳ装置１０は、通信端末装置２０との間のデータの送受信を、無線通信によって行う。以降の説明において、ＮＡＳ装置１０と通信端末装置２０との間の無線通信のうち、ＮＡＳ装置１０が管理するコンテンツ情報ＣＴの送受信に係る通信を「コンテンツ通信」と記載する。コンテンツ通信とは、通信端末装置２０が、ＮＡＳ装置１０に記憶させるための通信である。また、コンテンツ通信とは、ＮＡＳ装置１０に記憶されるコンテンツ情報ＣＴを通信端末装置２０が読み出す通信である。コンテンツ通信は、Ｗｉ−Ｆｉ（登録商標）による近距離無線通信、ＬＴＥ（Ｌｏｎｇ  Ｔｅｒｍ  Ｅｖｏｌｕｔｉｏｎ）などの移動体通信網を介した無線通信など、種々の無線通信方式によって行われる。
ここでは、ＮＡＳ装置１０が、通信端末装置２０との間においてＷｉ−Ｆｉ、及びＬＴＥによって通信が可能である場合について説明する。
【００１７】
ＮＡＳ装置１０は、Ｗｉ−Ｆｉによる近距離無線通信を行うルータＲＴがユーザの宅内に設置されている場合等、通信端末装置２０が当該Ｗｉ−ｆｉの電波を受信可能である場合には、Ｗｉ−Ｆｉによってコンテンツ通信を行う。ＮＡＳ装置１０は、ユーザの宅内にルータＲＴが設置されていない場合や、通信端末装置２０が当該Ｗｉ−ｆｉの電波を受信可能ではない場合には、ＬＴＥによってコンテンツ通信を行う。
【００１８】
＜通信端末装置の概要＞
通信端末装置２０は、可搬型の装置であり、ユーザの操作に応じて無線通信を行う。通信端末装置２０とは、例えば、携帯電話、スマートフォン及びタブレット型のコンピュータ（タブレットＰＣ）等の携帯型のパーソナルコンピュータなどである。
通信端末装置２０は、ＮＡＳ装置１０との間においてＷｉ−Ｆｉ、及びＬＴＥによって通信が可能である。
【００１９】
＜加入者識別子ＩＤについて＞
ＮＡＳ装置１０及び通信端末装置２０は、いずれも、移動体通信網を利用するサービスに加入する加入者を識別するための識別チップを備える。この識別チップとは、例えば、ＳＩＭ（Ｓｕｂｓｃｒｉｂｅｒ  Ｉｄｅｎｔｉｔｙ  Ｍｏｄｕｌｅ）である。このＳＩＭには、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）が、加入者を識別する加入者識別子ＩＤとして記憶されている。
ＬＴＥなどの移動体通信網を介した通信サービスは、通信事業者によって提供される。通信事業者は、ＩＭＳＩ（加入者識別子ＩＤ）と、電話番号とを対応付けて加入者の装置による通信を管理する。ＮＡＳ装置１０及び通信端末装置２０は、ＳＩＭを装着することにより、移動体通信網を介した相互の通信が可能になる。
【００２０】
なお、以下の説明において、ＮＡＳ装置１０に装着されているＳＩＭの加入者識別子ＩＤをＮＡＳ識別子ＩＤ１とも記載する。また、通信端末装置２０に装着されているＳＩＭの加入者識別子ＩＤを端末識別子ＩＤ２とも記載する。
【００２１】
また、以下の説明において、ＮＡＳ装置１０がルータＲＴを経由して通信端末装置２０とコンテンツ通信を行う場合の無線通信方式を「ルータ方式」と記載する。
また、以下の説明において、ＮＡＳ装置１０がルータＲＴを経由せずに、ＬＴＥなどの移動体通信網を介してして通信端末装置２０とコンテンツ通信を行う場合の無線通信方式を「ＬＴＥ方式」とも記載する。
【００２２】
ここで、ＮＡＳ装置１０のユーザは、通信端末装置２０やユーザに許可された通信端末装置のみがＮＡＳ装置１０が管理するデータを利用可能であることが好ましいと考える場合がある。しかしながら、ＮＡＳ装置１０や通信端末装置２０を使用するすべてのユーザがＮＡＳ装置１０や通信端末装置２０の設定に詳しいとは限らない。設定に詳しくないユーザの場合、ＮＡＳ装置１０が管理するデータの情報漏えいを予防することが困難である場合がある。
本実施形態のＮＡＳ装置１０は、ＮＡＳ装置１０が管理する情報を利用可能な通信端末装置の設定を行うことにより、設定に詳しくないユーザに対する支援を行う。以下、これらＮＡＳ装置１０及び通信端末装置２０の具体的な機能構成について説明する。
【００２３】
＜機能構成＞
以下、図２を参照して通信端末装置２０及びＮＡＳ装置１０の機能構成について説明する。
図２は、本実施形態に係るＮＡＳ装置１０及び通信端末装置２０の機能構成の一例を示す図である。
上述したように、ルータＲＴは、ルータ経由方式による無線通信を提供する。
【００２４】
＜通信端末装置の機能構成＞
通信端末装置２０は、Ｗｉ−Ｆｉ無線通信部２１０と、ＬＴＥ無線通信部２２０と、操作部２３０と、表示部２４０と、ＣＰＵ（Ｃｅｎｔｒａｌ  Ｐｒｏｃｅｓｓｉｎｇ  Ｕｎｉｔ）２５０と、記憶部２６０とを備える。これら各部は、内部バスによって相互に接続される。
Ｗｉ−Ｆｉ無線通信部２１０は、他の通信機器との間においてＷｉ−Ｆｉ方式によって無線通信を行う。
ＬＴＥ無線通信部２２０は、他の通信機器との間においてＬＴＥ方式によって無線通信を行う。
【００２５】
操作部２３０は、入力デバイスを備え、ユーザの操作を受け付ける。この入力デバイスには、キーボード等の文字情報を入力するデバイス、マウス、タッチパネル等のポインティングデバイス、ボタン、ダイヤル、ジョイスティック、タッチセンサ、タッチパッド等が含まれる。表示部２４０は、ＣＰＵ２５０によって制御され、画像、ＧＵＩ（Ｇｒａｐｈｉｃａｌ  Ｕｓｅｒ  Ｉｎｔｅｒｆａｃｅ）等を表示する。
記憶部２６０は、例えば、ハードディスクドライブやＲＯＭ等を備え、通信端末装置２０を制御するためのプログラムなどが記憶されている。
【００２６】
ＣＰＵ２５０は、記憶部２６０に格納されるプログラムを実行し、通信端末装置２０の各部を制御する。例えば、ＣＰＵ２５０は、Ｗｉ−Ｆｉ無線通信部２１０、及びＬＴＥ無線通信部２２０を制御することにより、他の機器との間において無線通信を行う。また、例えば、ＣＰＵ２５０は、無線通信を介したインターネットへのアクセスによって得られた画像、音声などのデータを、記憶部２６０に記憶させる。また、ＣＰＵ２５０は、記憶部２６０に記憶させたこれらのデータを、無線通信を介してＮＡＳ装置１０に送信する。
また、ＣＰＵ２５０は、コンテンツ通信の許可を要求する許可要求を、ＮＡＳ装置１０に無線通信を介して送信する。この一例は、ＣＰＵ２５０は、ルータ方式の無線通信を介してＷｉ−Ｆｉ無線通信部２１０からＮＡＳ装置１０に許可要求を示す情報（以下、許可要求情報ＲＱ）を送信させる。
【００２７】
＜ＮＡＳ装置の機能構成＞
ＮＡＳ装置１０は、Ｗｉ−Ｆｉ無線通信部１１０と、ＬＴＥ無線通信部１２０と、ＣＰＵ１３０と、記憶部１４０とをその機能部として備える。これら各部は、内部バスによって相互に接続される。
【００２８】
Ｗｉ−Ｆｉ無線通信部１１０は、他の通信機器との間においてＷｉ−Ｆｉ方式によって無線通信を行う。
ＬＴＥ無線通信部１２０は、他の通信機器との間においてＬＴＥ方式によって無線通信を行う。
【００２９】
ＣＰＵ１３０は、記憶部１４０に格納されるプログラムを実行し、ＮＡＳ装置１０の各部を制御する。例えば、ＣＰＵ１３０は、Ｗｉ−Ｆｉ無線通信部１１０、及びＬＴＥ無線通信部１２０を制御することにより、他の機器との間において無線通信を行う。
【００３０】
また、ＣＰＵ１３０は、登録部１３１と、コンテンツ通信判定部１３２をその機能部として備える。
登録部１３１は、ＮＡＳ装置１０に対するコンテンツ通信を許可する通信端末装置２０を登録する。ここで、許可要求情報ＲＱには、当該許可要求情報ＲＱを送信する装置（この一例では、通信端末装置２０）の識別情報が含まれる。識別情報とは、例えば、加入者識別子ＩＤである。登録部１３１は、通信端末装置２０から受信した許可要求情報ＲＱに含まれる端末識別子ＩＤ２をＳに登録する。許可識別情報ＷＬとは、ＮＡＳ装置１０とのコンテンツ通信が許可された通信端末装置２０の加入者識別子ＩＤ（端末識別子ＩＤ２）を示す情報である。許可識別情報ＷＬは、例えば、許可識別情報ＷＬに登録される加入者識別子ＩＤに対応する電話番号が示される。また、登録部１３１は、ルータ方式によって通信端末装置２０と通信可能である場合に、当該通信端末装置２０の端末識別子ＩＤ２を登録する。
【００３１】
以下、図を参照して許可識別情報ＷＬの詳細について説明する。
図３は、本実施形態に係る許可識別情報ＷＬの一例を示す表である。
図３に示す通り、この一例では、ユーザが使用する通信端末装置２０の端末識別子ＩＤ２と、ユーザの家族が使用する通信端末装置２０の端末識別子ＩＤ２−１とが許可識別情報ＷＬに含まれる。
【００３２】
図２に戻り、コンテンツ通信判定部１３２は、通信端末装置２０からＮＡＳ装置１０に対してコンテンツ通信の要求があった場合、許可識別情報ＷＬに基づいてコンテンツ通信を行うか否かを判定する。Ｗｉ−Ｆｉ無線通信部１１０、及びＬＴＥ無線通信部１２０は、コンテンツ通信判定部１３２の判定結果に基づいて、通信端末装置２０とコンテンツ通信する。
【００３３】
記憶部１４０は、例えば、ハードディスクドライブやＲＯＭ等を備え、コンテンツ情報ＣＴ、許可識別情報ＷＬ、及びＮＡＳ装置１０を制御するためのプログラムなどが記憶されている。
【００３４】
＜ＮＡＳ装置の動作について：加入者識別子の登録＞
以下、図４を参照してＮＡＳ装置１０の動作について説明する。
図４は、本実施形態に係るＮＡＳ装置１０の動作の一例を示す第１の流れ図である。具体的には、図４は、ＮＡＳ装置１０が通信端末装置２０の加入者識別子ＩＤを登録する動作の一例を示す流れ図である。
ＮＡＳ装置１０は、ルータ方式で通信端末装置２０と通信可能な場合（ステップＳ１１０；ＹＥＳ）、通信端末装置２０の加入者識別子ＩＤの登録を行う。具体的には、Ｗｉ−Ｆｉ無線通信部１１０は、ＮＡＳ装置１０が備える物理キーが押下されてから、所定の時間が経過するまでの間に（ステップＳ１２０；ＮＯ）、通信端末装置２０から許可要求情報ＲＱを受信する（ステップＳ１３０）。登録部１３１は、受信した加入者識別子ＩＤを許可識別情報ＷＬに登録する（ステップＳ１４０）。ここで、ＮＡＳ装置１０は、ルータ方式で通信端末装置２０と通信不可能な場合（ステップＳ１１０；ＮＯ）、加入者識別子ＩＤの登録を行わない。また、ＮＡＳ装置１０は、ＮＡＳ装置１０が備える物理キーが押下されてから、所定の時間が経過した場合（ステップＳ１２０；ＹＥＳ）、加入者識別子ＩＤの登録を行わない。
【００３５】
＜ＮＡＳ装置の動作について：コンテンツ通信の判定（ルータ方式の場合）＞
以下、図５を参照してＮＡＳ装置１０の動作について説明する。
図５は、本実施形態に係るＮＡＳ装置１０の動作の一例を示す第２の流れ図である。具体的には、図５は、ＮＡＳ装置１０がルータ方式の通信によってコンテンツ通信を行う動作の一例を示す流れ図である。換言すると、この一例では、ＮＡＳ装置１０と通信端末装置２０とは、ルータ方式の無線通信によって通信可能である。
Ｗｉ−Ｆｉ無線通信部１１０は、通信端末装置２０からＮＡＳ装置１０に対するコンテンツ通信の要求を受信する（ステップＳ２１０）。コンテンツ通信判定部１３２は、許可識別情報ＷＬに基づいて、コンテンツ通信を行うか否かを判定する（ステップＳ２２０）。コンテンツ通信判定部１３２は、コンテンツ通信の要求があった通信端末装置２０の端末識別子ＩＤ２が許可識別情報ＷＬに登録されていると判定する場合（ステップＳ２２０；ＹＥＳ）、Ｗｉ−Ｆｉ無線通信部１１０に当該通信端末装置２０とのコンテンツ通信を行わせる（ステップＳ２３０）。ここで、Ｗｉ−Ｆｉ無線通信部１１０は、通信端末装置２０とルータの方式の無線通信を介してコンテンツ通信を行う。また、コンテンツ通信判定部１３２は、コンテンツ通信の要求があった通信端末装置２０の端末識別子ＩＤ２が許可識別情報ＷＬに登録されていないと判定する場合（ステップＳ２２０；ＮＯ）、当該通信端末装置２０とのコンテンツ通信を行わせない（ステップＳ２４０）。
【００３６】
＜ＮＡＳ装置の動作について：コンテンツ通信の判定（ＬＴＥ方式の場合）＞
以下、図６を参照してＮＡＳ装置１０の動作について説明する。
図６は、本実施形態に係るＮＡＳ装置１０の動作の一例を示す第３の流れ図である。
ここで、ＮＡＳ装置１０と、通信端末装置２０とが、ＬＴＥ方式の無線通信によって通信する際に構築されるセッションの概要について説明する。
シグナリングサーバＳＳＶは、ＮＡＳ装置１０と通信端末装置２０との間において行われるセッションを管理する。具体的には、シグナリングサーバＳＳＶは、ＮＡＳ装置１０、通信端末装置２０、認証サーバＣＳＶ、及びプッシュサーバＰＳＶとの間において通信が可能である。シグナリングサーバＳＳＶは、通信端末装置２０から通信の要求があった場合に、ＮＡＳ装置１０との間の通信のセションを構築するためのシグナリング処理を行う。このシグナリングサーバＳＳＶは、端末情報を通信端末装置２０から受信する。この端末情報には、通信端末装置２０を識別する端末識別子ＩＤ２が含まれている。
シグナリングサーバＳＳＶは、通信端末装置２０が送信するセッション開始の要求に応じて、通信開始の要求を送信した通信端末装置２０と、ＮＡＳ装置１０との間のセションを、端末情報に基づいて構築する。
また、プッシュサーバＰＳＶは、被要求側のＮＡＳ装置１０に対してシグナリングサーバＳＳＶがセション構築開始の要求を行う際に、要求側の通信端末装置２０の電話番号をプッシュ技術により被要求側のＮＡＳ装置１０に対して送信する。このプッシュ技術とは、通信端末装置２０に対する通信リクエストを、サーバ装置側（この例の場合には、シグナリングサーバＳＳＶ、及びプッシュサーバＰＳＶ側）からＩＰアドレスを用いてプッシュ配信する技術である。なお、以下の説明において、プッシュ技術によって情報を送信することを、単に、情報をプッシュするとも記載する。
以下、図６を参照して、ＮＡＳ装置１０がセッションを介して通信端末装置２０とコンテンツ通信を行う動作について説明する。
【００３７】
要求側の通信端末装置２０は、シグナリングサーバＳＳＶにセション構築の要求を送信する（ステップＳ３１０）。このセション構築の要求には、送信要求側の通信端末装置２０の電話番号及びＩＰアドレスと、被要求側の通信端末装置２０の電話番号とが含まれる。
【００３８】
次に、シグナリングサーバＳＳＶは、通信端末装置２０が送信したセション構築の要求を受信すると、プッシュサーバＰＳＶに対して、セション構築情報を送信する（ステップ３２０）。このセション構築情報には、要求側の通信端末装置２０の電話番号と、プッシュＩＤとが含まれている。このとき、シグナリングサーバＳＳＶは、被要求側の通信端末装置２０の電話番号を検索キーにしてレジストレーション情報を検索することにより、プッシュＩＤを取得する。
【００３９】
＜レジストレーション情報＞
以下、図７を参照して、レジストレーション情報について説明する。
図７は、本実施形態におけるレジストレーション情報の一例を示す表である。
シグナリングサーバＳＳＶは、レジストレーション情報として、ＮＡＳ装置１０、及び通信端末装置２０の電話番号と、端末モデル名と、プッシュＩＤと、アプリケーションバージョンとを記憶する。ここで、プッシュＩＤとは、ＮＡＳ装置１０、及び通信端末装置２０上で動作するコンテンツ通信対応のアプリケーションについて、このアプリケーションを識別する識別情報である。したがって、被要求側の通信端末装置２０の電話番号を検索キーにしてレジストレーション情報を検索することにより取得するプッシュＩＤは、被要求側のＮＡＳ装置１０において使用されるアプリケーションに対応している。
【００４０】
図６に戻り、プッシュサーバＰＳＶは、シグナリングサーバＳＳＶから送信されたセション構築情報を受信すると、このセション構築情報に含まれるプッシュＩＤに基づいて、被要求側のＮＡＳ装置１０に対して、コンテンツ通信の要求をプッシュする（ステップＳ３３０）。このときプッシュサーバＰＳＶがプッシュする情報には、要求側の通信端末装置２０の電話番号が含まれている。
【００４１】
被要求側のＮＡＳ装置１０が備えるコンテンツ通信判定部１３２は、プッシュが行われると、受信した要求側の通信端末装置２０の電話番号が、許可識別情報ＷＬに登録されているか否かを判定する（ステップＳ３４０）。被要求側のＮＡＳ装置１０は、受信した要求側の通信端末装置２０の電話番号が、許可識別情報ＷＬに登録されていると判定した場合（ステップＳ３４０；ＹＥＳ）には、処理をステップＳ３５０に進める。一方、コンテンツ通信判定部１３２は、受信した要求側の通信端末装置２０の電話番号が、許可識別情報ＷＬに含まれないと判定した場合（ステップＳ３４０；ＮＯ）には、通信端末装置２０とコンテンツ通信を行わず、処理を終了する。
【００４２】
次に、被要求側のＮＡＳ装置１０は、シグナリングサーバＳＳＶに対してセション構築承認情報を送信する（ステップＳ３５０）。このセション構築承認情報には、被要求側のＮＡＳ装置１０の電話番号、ＩＰアドレス及びポート番号が含まれている。
次に、シグナリングサーバＳＳＶは、被要求側のＮＡＳ装置１０から送信されたセション構築承認情報を受信すると、要求側の通信端末装置２０と、被要求側のＮＡＳ装置１０との間においてセションを構築して（ステップＳ３６０）、セション構築の処理を終了する。具体的には、ステップＳ３６０において、シグナリングサーバＳＳＶは、ステップＳ３５０において送信された被要求側のＮＡＳ装置１０のＩＰアドレス及びポート番号を、要求側の通信端末装置２０に送信する。次に、要求側の通信端末装置２０は、要求側の通信端末装置２０のＩＰアドレス及びポート番号を、シグナリングサーバＳＳＶに送信する。シグナリングサーバＳＳＶは、要求側の通信端末装置２０のＩＰアドレス及びポート番号を受信すると、受信したＩＰアドレス及びポート番号を被要求側のＮＡＳ装置１０に送信する。これにより、要求側の通信端末装置２０は、被要求側のＮＡＳ装置１０のＩＰアドレス及びポート番号を取得する。また、被要求側の通信端末装置２０は、要求側の通信端末装置２０のＩＰアドレス及びポート番号を取得する。すなわち、複数の端末装置１０は、互いに、情報共有相手の端末装置１０のＩＰアドレス及びポート番号を取得する。
セション構築の処理が終了すると、ＮＡＳ装置１０のＬＴＥ無線通信部１２０、及び通信端末装置２０のＬＴＥ無線通信部２２０は、コンテンツ通信を行う（ステップＳ３７０）。
【００４３】
＜実施形態のまとめ＞
以上説明したように、本実施形態の管理装置（この一例では、ＮＡＳ装置１０）は、登録部１３１が、Ｗｉ−Ｆｉ無線通信部１１０が受信した許可要求情報ＲＱに当該許可要求情報ＲＱを送信する通信端末装置２０の端末識別子ＩＤ２を許可識別情報ＷＬに登録する。コンテンツ通信判定部１３２が、許可識別情報ＷＬに通信端末装置２０の端末識別子ＩＤ２が登録されているか否かに基づいて、当該通信端末装置２０とのコンテンツ通信を行うか否かを判定する。Ｗｉ−Ｆｉ無線通信部１１０、及びＬＴＥ無線通信部１２０は、コンテンツ通信判定部１３２の判定結果に基づいて、通信端末装置２０とのコンテンツ通信を行う。
したがって、本実施形態のＮＡＳ装置１０によれば、ＮＡＳ装置１０や通信端末装置２０の設定が不得手なユーザであっても、ＮＡＳ装置１０に対するコンテンツ通信を許可する通信端末装置２０を登録することができる。つまり、本実施形態のＮＡＳ装置１０によれば、ＮＡＳ装置１０とのコンテンツ通信が可能な通信端末装置２０に係るアクセス制限を簡便な方法によって設定することができる。これにより、コンテンツ通信が許可された通信端末装置２０のみが、ＮＡＳ装置１０のコンテンツ情報ＣＴにアクセスする。
【００４４】
また、本実施形態においてＬＴＥ無線通信部１２０は、コンテンツ通信判定部１３２が通信端末装置２０とコンテンツ通信を行うと判定する場合、移動体通信網を介して通信端末装置２０とコンテンツ通信を行う。
本実施形態のＮＡＳ装置１０によれば、ユーザが宅内Ｗｉ−ｆｉの圏外（例えば、外出先）においてコンテンツ情報ＣＴを利用したい場合であっても、移動体通信網を介して通信端末装置２０とコンテンツ通信することができる。
【００４５】
また、本実施形態のＮＡＳ装置１０が備えるコンテンツ通信判定部１３２は、許可識別情報ＷＬに端末識別子ＩＤ２が含まれる通信端末装置２０とコンテンツ通信し、許可識別情報ＷＬに端末識別子ＩＤ２が含まれない通信端末装置２０とコンテンツ通信しないと判定する。
したがって、本実施形態のＮＡＳ装置１０によれば、コンテンツ通信が許可されていない通信端末装置２０とＮＡＳ装置１０とがコンテンツ通信することを抑止することができる。つまり、本実施形態のＮＡＳ装置１０によれば、ＮＡＳ装置１０や通信端末装置２０の設定が不得手なユーザであっても、ＮＡＳ装置１０に対するコンテンツ通信を許可しない通信端末装置２０とのコンテンツ通信を抑止することができる。
【００４６】
＜ルータからの電波の受信感度に基づく登録について＞
なお、上述では、登録部１３１が許可要求情報ＲＱに基づいて、加入者識別子ＩＤを許可識別情報ＷＬに登録する場合について説明したが、これに限られない。登録部１３１は、ルータＲＴの電波の受信感度に更に基づいて、加入者識別子ＩＤを登録してもよい。この場合、Ｗｉ−Ｆｉ無線通信部１１０は、ＮＡＳ装置１０が受信するルータＲＴの電波強度を検出し、検出した電波強度を示す情報（以下、電波強度情報）を登録部１３１に供給する。例えば、電波強度情報が、電波強度が高いことを示す場合、登録部１３１は、許可要求情報ＲＱに含まれる加入者識別子ＩＤを許可識別情報ＷＬに登録する。例えば、電波強度情報が、電波強度が低いことを示す場合、登録部１３１は、許可要求情報ＲＱに含まれる加入者識別子ＩＤを許可識別情報ＷＬに登録しない。
【００４７】
ここで、ＮＡＳ装置１０は、他の無線通信方式の電波を受信可能な位置に設置される場合がある。他の無線通信方式とは、ユーザの住宅に設置されたルータＲＴが提供しないＷｉ−ｆｉや公衆Ｗｉ−ｆｉ等による通信方式である。また、ＮＡＳ装置１０が受信する他の無線通信方式の電波の受信強度は、ルータＲＴの電波強度と比較して低い場合がある。
上述したように、ＮＡＳ装置１０が備える登録部１３１が、許可要求情報ＲＱを送信する通信端末装置２０とＮＡＳ装置１０との無線通信の接続状態（この一例では、電波強度）に基づいて、加入者識別子ＩＤを許可識別情報ＷＬとして登録する。これにより、ＮＡＳ装置１０は、他の無線通信方式を介して許可要求情報ＲＱを受信する場合には、許可識別情報ＷＬを登録しない。つまり、本実施形態のＮＡＳ装置１０によれば、通信端末装置２０やユーザにコンテンツ通信が許可された通信端末装置以外の端末装置にコンテンツ情報ＣＴが参照されることを抑止することができる。
【００４８】
＜ユーザが複数のＳＩＭを所有する場合について＞
なお、上述では、通信端末装置２０が備える識別チップ（ＳＩＭ）に記憶される端末識別子ＩＤ２が許可要求情報ＲＱに含まれる場合について説明したが、これに限られない。ユーザは、例えば、複数の識別チップを所有する場合がある。通信端末装置２０は、許可要求情報ＲＱにユーザが所有する識別チップに記憶される端末識別子ＩＤ２を許可要求情報ＲＱとして送信する構成であってもよい。この場合、通信端末装置２０は、ユーザが所有する識別チップであって、通信端末装置２０において使用履歴のある識別チップに記憶される端末識別子ＩＤ２を記憶する機能を有する。
【００４９】
なお、上述では、通信端末装置２０が許可要求情報ＲＱを送信することに応じて、ＮＡＳ装置１０が加入者識別子ＩＤを許可識別情報ＷＬに登録する場合について説明したが、これに限られない。ＮＡＳ装置１０は、例えば、加入者識別子ＩＤの登録を通信端末装置２０に要求する登録要求を通信端末装置２０に送信する機能を有してもよい。この場合、ＮＡＳ装置１０は、例えば、ユーザの住宅に設置されたことに応じて、登録要求を示す情報を通信端末装置２０に送信する。具体的には、ＮＡＳ装置１０は、ユーザの住宅に設置され、電源が投入されたことに応じて、通信端末装置２０に登録要求を示す情報を送信する。また、ＮＡＳ装置１０は、ＮＡＳ装置１０が有する物理ボタンを押下されたことに応じて、通信端末装置２０に登録要求を示す情報を送信する。
この場合、通信端末装置２０は、ＮＡＳ装置１０から登録要求を示す情報を受信することに応じて、許可要求情報ＲＱを送信する機能を有する。
【００５０】
なお、上述では、ＮＡＳ装置１０と通信端末装置２０とがＬＴＥ方式によってコンテンツ通信を行う場合、プッシュサーバＰＳＶを用いてプッシュすることにより、セッションを構築する場合について説明したが、これに限られない。例えば、ＮＡＳ装置１０と通信端末装置２０とは、ＳＭＳ（Ｓｈｏｒｔ  Ｍｅｓｓａｇｅ  Ｓｅｒｖｉｃｅ）を利用した方法によってセッションを構築してもよい。この場合、通信端末装置２０は、コンテンツ通信の要求として、ＮＡＳ装置１０に端末識別子ＩＤ２（この一例では、通信端末装置２０の電話番号）を示すメッセージをＳＭＳによって送信する。通信端末装置２０から受信したメッセージに示される通信端末装置２０の電話番号が許可識別情報ＷＬに登録されている場合、シグナリングサーバＳＳＶは、ＮＡＳ装置１０と通信端末装置２０とのセッションを構築する。
【００５１】
また、上述の実施形態において、加入者識別子ＩＤとは、加入者情報の一例である。また、上述の実施形態において、Ｗｉ−Ｆｉ無線通信部１１０とは、受信部の一例である。また、上述の実施形態において、Ｗｉ−Ｆｉ無線通信部１１０、及びＬＴＥ無線通信部１２０は、通信部の一例である。また、上述の実施形態において、Ｗｉ−Ｆｉ無線通信部２１０は、送信部の一例である。
【００５２】
なお、上記の実施形態におけるＮＡＳ装置１０、及び通信端末装置２０が備える各部は、専用のハードウェアにより実現されるものであってもよく、また、メモリおよびマイクロプロセッサにより実現させるものであってもよい。
【００５３】
なお、ＮＡＳ装置１０、及び通信端末装置２０が備える各部は、メモリおよびＣＰＵ（中央演算装置）により構成され、ＮＡＳ装置１０、及び通信端末装置２０が備える各部の機能を実現するためのプログラムをメモリにロードして実行することによりその機能を実現させるものであってもよい。
【００５４】
また、ＮＡＳ装置１０、及び通信端末装置２０が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００５５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００５６】
以上、本発明の実施形態を、図面を参照して詳述してきたが、具体的な構成はこの実施形態に限られるものではなく、本発明の趣旨を逸脱しない範囲で適宜変更を加えることができる。
【符号の説明】
【００５７】
１０…ＮＡＳ装置、２０…通信端末装置、１１０…Ｗｉ−Ｆｉ無線通信部、１２０…ＬＴＥ無線通信部、１３０、２５０…ＣＰＵ、１３１…登録部、１３２…コンテンツ通信判定部、１４０…記憶部、２１０…Ｗｉ−Ｆｉ無線通信部、２２０…ＬＴＥ無線通信部、２３０…操作部、２４０…表示部、２６０…記憶部、ＣＴ…コンテンツ情報、ＩＤ…加入者識別子、ＩＤ１…ＮＡＳ識別子、ＩＤ２、ＩＤ２−１…端末識別子、ＲＱ…許可要求情報、ＲＴ…ルータ
【図１】
2018113560.tif 000003
【図２】
2018113560.tif 000004
【図３】
2018113560.tif 000005
【図４】
2018113560.tif 000006
【図５】
2018113560.tif 000007
【図６】
2018113560.tif 000008
【図７】
2018113560.tif 000009